(57)【要約】【目的】パチンコ機における玉供給部の構造を簡素化して同部が台裏に占める使用空間を縮小し遊戯機本来機能の為の使用空間の余裕化を図ると共に玉供給装置部の製作コストの低減をはかる。【構成】台枠上部玉補給口２の直下に玉受け入れ部３を設け、下方の玉払出口６に直結する玉計数機部と一体になった玉貯留部５を下部に設置し、玉受け入れ部の出口から玉貯留部５の上開口部までの間を玉経路４でつないでパチンコ玉の供給部を構成する。【選択図】    図１
2004216097.tif 000002
【特許請求の範囲】
【請求項１】
上方の玉受け入れ部（３））と、その玉出口（１１）に接続して下部に設けた玉計数機能部と一体化した玉貯留部（５）の開口部上に玉落ち口（１２）を有する玉経路（４）とで、構成されるパチンコ機の玉供給部。
【請求項２】
請求項１における玉受け入れ部に替えて、玉レベルセンサー（１０）を備えた玉受け入れ貯留部（８）を取り付け玉経路（４）の中間に玉止め部（９）を設けてなるパチンコ機の玉供給部。
【発明の詳細な説明】
【０００１】
【発明の属する技術分野】
本発明はパチンコ機の使用玉補給部の構造に関するものである。
【０００２】
【従来の技術】
従来のパチンコ機の玉供給部の構造は、パチンコ台の上部玉補給口の下に設けた玉受け入れ貯留部と、その下に同貯留部下部玉出口から落ちてくるパチンコ玉を整列し且つ計数時に計数誤差の原因となるような圧力がかからないように屈曲した経路形状部を有する整列経路部と、玉計数部と、下方の払出口に接続する払出経路部とで構成されたものが一般である。
（従来の技術例として、特許公開平１１−１０４３３９、特許公開平１１−７６５８４、特許公開平８−３０８９８２、他、図３参照）
【０００３】
【発明が解決しようとする課題】
上記の従来の様な構成の玉供給部ではその所要空間がパチンコ機の裏面に占める容積が大きく遊戯台本来の機能を発揮させる為の裏部品を取り付ける為の空間が制約されると云う問題があり、又複雑な部品構成はそれだけ部品コストや組み立て工数の増加を招き従って製造原価を増加させるもととなっている。
【０００４】
【課題を解決するための手段】
本発明は従来の玉供給部が補給用のパチンコ玉の貯留部を上部に設置し玉計数部にパチンコ玉を導入するまでに複雑な経路を設けているのを、玉計数機能部を備えた玉貯留部を下方に設置し計数玉が払出口に直接落ち込むように配置し上方の玉受け入れ部から下方に設置した玉貯留部までの間は単純に玉が通過するだけの経路とする事によって、玉供給装置がパチンコ機の裏面で占める空間の縮小を計り従ってその分遊戯機の本来機能の向上を計る為の裏部品用の使用空間の拡大を計ると共に、構成部品の簡素化によるコストダウンを計るものである。
【０００５】
【発明実施の形態】
本発明の実施の形態を実施例にもとづき図面を参照にして説明する。
図１に於いて台枠１の上方に位置する玉補給口２の真下に玉受け入れ部３を取り付け、下方には玉計数機７と一体になった玉貯留部５を取り付けて、上方の玉出口１１から下方の玉貯留部５の上部開口部上に位置する玉落ち口１２まで接続する玉経路４を取り付ける、そして玉計数機から払い出される計数済み玉は直接払出口６に落ち込むように配置し、且つ玉貯留部５には玉上レベルセンサー１４と玉下レベルセンサー１３が取り付けてある。
図２は本発明の他の実施例で図１における玉受け入れ部に代えて玉レベルセンサー１０を備えた玉受け入れ貯留部８を設け玉経路４の中間に玉止め部９を取り付けてパチンコ玉の供給部を構成したもの。
図４は図１の実施例における玉計数機一体型の玉貯留部５の詳細を示すもので計数装置として貯留部側面に駆動部２８で駆動される穴明き円盤２６と払い出し口６への玉の落ち口に玉通過センサー２５を取り付けて構成したものである。
図５は同じく玉計数機一体型の玉貯留部５の他の実施例を示すもので玉貯留部の一角に隔壁３４によって囲まれ駆動部２９によって回動するスクリュウ軸２７と同じく払出口６への玉の落ち口に玉通過センサー２５を取り付けて構成したものである。
【０００６】
【発明実施の効果】
上記のような本発明の図１の実施例では、所要の玉数は貯留部に一体に取り付けられた玉計数機７によって払出口６に払い出されてゆき貯留部５に残った玉数が減少して玉下レベルセンサー１３が作動すると機外上部の玉補給口２から玉が補給され玉受け入れ部３から玉経路４を経て玉貯留部５に落下するそして供給された玉が玉上レベルセンサー１４を作動させるにいたると機外からの玉補給を停止させる、即ち本構成によってパチンコ玉の払出し供給に関する一連の機能を果たす事が出来る。従って図３の従来の技術例に見られるようにパチンコ玉供給部が玉受け入れ貯留部２１や玉整列経路２２、及び玉計数機部２３から払出口６に至る払出経路２４等の部品で構成されて大きな空間を占めていたものが、図１の実施例によれば上部の玉受け入れ部３と下部の玉計数機つき玉貯留部５と玉経路４とで構成される簡素な玉供給部で同じ機能をはたす事ができる。  更に図２の実施例の様に玉経路４の中間に玉止め部９を設れば上部にも貯留機能を持たせる事が出来るので上部と下部に貯留機能を分散させれば周囲の他の有用な機能機器の所要空間に合わせて玉供給部の使用空間を調整する事ができる。
尚図４及び図５は玉計数機能一体型の玉貯留部の構造例を示したもので図４の場合では穴明き円盤２６が、側面から見ると少し傾いて取り付けられているが、矢印３０の方向に回転すると玉貯留部底部で円盤の穴に入り込んだパチンコ玉が回転につれて払出口６までくると矢印３１のように同口にこぼれ落ちることになるその際こぼれ落ちる玉の数を玉通過センサー２５で計数して所要の数で同円盤の回転を止めるようにすれば計数機と一体型の貯留部が構成される。又図５の場合は貯留部下部で矢印３２のようにスクリュウ部に入り込んだ玉はスクリュウの回転によって矢印３３の様に上方に移動し払出口６にてこぼれ落ちる事になり図４の場合と同様に玉通過センサー２５によって計数すれば図４と同様の計数機機一体型の貯留部を構成することができる。
【０００７】
以上のように本発明によれば従来の玉供給装置部に比して簡素にしてより安価な、或いは他の機能部分に合わせて使用空間を上下で調整出来るパチンコ機の玉供給部を提供する事ができる。
【図面の簡単な説明】
【図１】本発明の実施例の正面図である。
【図２】本発明の他の実施例の正面図である。
【図３】従来の実施例の正面図である。
【図４】本発明の実施例の部分詳細平面図である。
【図５】本発明の他の実施例の部分詳細平面図である。
【符号の説明】
１、    台枠
２、    玉補給口
３、    玉受け入れ部
４、    玉経路
５、    玉貯留部
６、    払出口
７、    玉計数機
８、    玉受け入れ貯留部
９、    玉止め部
１０、    玉レベルセンサー
１１、    玉出口
１２、    玉落ち口
１３、    玉下レベルセンサー
１４、    玉上レベルセンサー
２１、    玉受け入れ貯留部
２２、    玉整列経路
２３、    玉計数機部
２４、    払出経路
２５、    玉通過センサー
２６、    穴明き円盤
２７、    スクリュー軸
２８、２９、    駆動部
３０、３１、３２、３３、    矢印
３４、    隔壁
【図１】
2004216097.tif 000003
【図２】
2004216097.tif 000004
【図３】
2004216097.tif 000005
【図４】
2004216097.tif 000006
【図５】
2004216097.tif 000007